(57)【要約】【課題】情報記録媒体の不正利用を適確に判定することにより著作権侵害を防止するプログラム実行制御方法を提供する。【解決手段】トラックのリードイン領域に、リードイン情報の開始時間情報Ｔ１、開始時間情報Ｔ１に所定差値を付加設定したリードイン情報の記録開始時間情報Ｔ２、及び開始時間情報Ｔ１と記録開始時間情報Ｔ２と差値に基づき、プログラム領域に記録されたプログラムの実行を制御するプログラム制御情報が記録され、検出取得される開始時間情報Ｔ１と記録開始時間情報Ｔ２に所定差値が確認されると、正規の情報記録媒体と判定して、プログラム領域のプログラムが実行され、所定差値が確認されないと不正な情報記録媒体と判定して、プログラム領域のプログラムの実行が禁止されるので、ＣＤ−ＲＣ、Ｄ−ＲＷなどのパーシャルＲＯＭ型の情報記録媒体を不正利用する著作権侵害の防止が可能になる。【選択図】        図２
2004213791.tif 000002
【特許請求の範囲】
【請求項１】
リードイン情報の開始時間情報Ｔ１と、該開始時間情報Ｔ１に所定の差値を付加して設定される前記リードイン情報の記録開始時間情報Ｔ２との前記差値に基づいて、プログラム領域に記録される動作プログラムの実行を制御するプログラム制御情報が、前記リードイン領域に、ドライブで読出自在に記録されていることを特徴とする情報記録媒体。
【請求項２】
プログラム制御情報が、リードイン情報の開始時間情報Ｔ１を検出する開始時間情報検出ステップと、
リードイン情報の記録開始時間データＴ２を検出する記録開始時間情報検出ステップと、
前記開始時間情報Ｔ１と前記記録開始時間情報Ｔ２との差値を検出する差値検出ステップと、
該差値検出ステップで差値が検出されると、正規な情報記録媒体と判定してプログラム領域の動作プログラムを実行し、前記差値が検出されないと、不正な情報記録媒体と判定して、前記動作プログラムの実行を禁止するプログラム制御ステップと
からなることを特徴とする請求項１記載の情報記録媒体。
【請求項３】
リードイン領域とプログラム領域とを備え、該プログラム領域に動作プログラムが記録されている情報記録媒体であり、
リードイン領域のリードイン情報の開始時間情報Ｔ１を検出する開始時間情報検出ステップと、
前記リードイン情報の記録開始時間情報Ｔ２を検出する記録開始時間情報検出ステップと、
前記開始時間情報Ｔ１と前記記録開始時間情報Ｔ２との差値を検出する差値検出ステップと、
該差値検出ステップで差値が検出されると、正規な情報記録媒体と判定して、前記プログラム領域の動作プログラムを実行し、前記差値が検出されないと、不正な情報記録媒体と判定して、前記プログラム領域の動作プログラムの実行を禁止するプログラム実行制御ステップと
からなりドライブで読取り自在なプログラム制御情報が、前記リードイン領域にＲ０Ｍ部を構成して記録されていることを特徴とする情報記録媒体。
【請求項４】
情報の追記が行なわれる追記部が、請求項３記載の情報記録媒体にさらに設けられていることを特徴とする情報記録媒体。
【請求項５】
スタンパの作成を介して情報記録媒体を製造する情報記録媒体の製造方法であり、
前記スタンパに対するＲＯＭ部の形成時に、リードイン領域のリードイン情報の開始時間情報Ｔ１に対して、所定の差値を付加して設定される前記リードイン情報の記録開始時間情報Ｔ２に基づいて、前記リードイン領域にリードイン情報の記録を行なうことにより作成されるスタンパに、後加工処理、成形処理、成膜処理及び検査処理を施すことにより情報記録媒体を製造することを特徴とする情報記録媒体の製造方法。
【請求項６】
情報記録媒体のプログラム領域の動作プログラムの実行を制御するプログラム実行制御方法であり、
前記情報記録媒体のリードイン情報の開始時間情報Ｔ１及び該開始時間情報Ｔ１に所定の差値を付加して設定される前記リードイン情報の記録開始時間情報Ｔ２を取込む時間情報取込みステップと、
該時間情報取込みステップで取り込まれた前記開始時間情報Ｔ１と前記記録開始時間情報Ｔ２に前記差値が検出されると、正規な情報記録媒体と判定して、前記動作プログラムを実行し、前記差値が検出されないと、不正な情報記録媒体と判定して、前記動作プログラムの実行を禁止するプログラム制御ステップと
を有することを特徴とするプログラム実行制御方法。
【発明の詳細な説明】
【０００１】
【発明の属する技術分野】
本発明は、光ディスクなどの情報記録媒体、特に不正に利用される情報記録媒体のプログラム実行の禁止機能を備えた情報記録媒体と、その製造方法及びプログラム実行制御方法に関する。
【０００２】
【従来の技術】
近年のパーソナルコンピュータの普及に伴い、ＣＤ−Ｒ（Ｃｏｍｐａｃｔ  Ｄｉｓｋ  Ｒｅｃｏｒｄａｂｌｅ）やＣＤ−ＲＷ（Ｃｏｍｐａｃｔ  Ｄｉｓｋ−Ｒｅｗｒｉｔａｂｌｅ）などの光ディスクが外部記憶ユニットとして広く使用されるようになり、アプリケーションソフトウェア、音楽情報、画像情報などが記録格納された光ディスクが、外部記憶ユニットとして販売配布されている。
このように再生対象となる各種の情報を、光ディスクに記録格納するための記録フォーマットとしては、各種の情報が記録される渦巻き状のトラックが、ディスクの内周から外周に形成され、このトラックに一つの連続した再生対象情報が記録されるプログラム領域が設けられ、このプログラム領域の走査方向の前部にリードイン領域が、後部にリードアウト領域が連続して形成された方式が用いられ、これらのリードイン領域、プログラム領域及びリードアウト領域を単位にしてセッションと呼んでいる。
【０００３】
そして、音楽情報が格納されるＣＤでは、複数の楽曲が複数のトラックに対応して、それぞれ記録されたシングルセッションの構成がとられ、ＣＤ−ＲＯＭの場合には、一つのセッションに一つのトラックが収められたシングルセッションの構成がとられる。
また、ＣＤ−Ｒ、ＣＤ−ＲＷのように情報の追記が可能なディスクでは、リードイン領域、プログラム領域及びリードアウト領域からなるセッションが複数形成された複数セッションの構成がとられる。
このような構成のＣＤでは、リードイン領域には、各セッションに対応するトラック情報（ＴＯＣ；Ｔａｂｌｅ  ｏｆ  Ｃｏｎｔｅｎｔｓ）などのリードイン情報が記録格納され、プログラム領域には、再生対象情報及び前セッションからのパステーブル情報が記録格納され、また、追記時間（アドレス）情報（ＡＴＩＰ；Ａｂｓｏｌｕｔｅ  Ｔｉｍｅ  ｉｎ  Ｐｒｅ−ｇｒｏｏｖｅ）をエンコーディングしたウォブルを有するトラックが形成され、特に、リードイン領域のＡＴＩＰには、リードイン開始時間、リードアウト開始時間、ディスク記録情報などのスペシャルインフォーメーションが記録されている。
これらのリードイン領域のスペシャルインフォメーションは、記録後に記録信号のノイズにより読出しにくくなることを避けて、リードイン領域記録時に形成される。
【０００４】
特に近年では、１枚のディスクに再生専用領域（ＲＯＭ領域）と、追記または書換可能領域（記録再生領域）とを設けたパーシャルＲＯＭと呼ばれる光ディスクが広く使用されるようになっている。
このパーシャルＲＯＭ型のＣＤでは、記録再生領域に音楽情報などの情報を、著作権を侵害して不正に記録複製して頒布する行為が行なわれることがあり問題となっている。この場合、ＣＤに複製の禁止情報を記録して対応することも考えられるが、禁止情報を無視するソフトウェアによって、不正な記録複製が行なわれることを防止することはできない。
【０００５】
前述した情報記録媒体の著作権を侵害する不正利用の問題を解決するために、後記する特許文献１には、正当なユーザの再生装置のＩＤを、パーシャルＲＯＭディスクの記録再生領域に、予めユーザの負担を避けて自動的に記録しておき、再生動作時に使用する再生装置のＩＤが、パーシャルディスクに記録されているＩＤと一致することを確認して、パーシャルディスクのＲＯＭ領域に記録されているプログラムを起動させることにより、パーシャルＲＯＭディスクの不正使用を防止する技術が開示されている。
【０００６】
【特許文献１】
特開２０００−１２３４７９号公報
【０００７】
【発明が解決しようとする課題】
しかし、特許文献１に開示の技術では、ＩＤ登録に係る特定の再生装置を備えた特定判定条件下で、パーシャルＲＯＭディスクの再生を行なうことが必要であり、個々の現場で使用する再生装置に対応して、情報記録媒体の不正使用の判定を行なうことはできない。
本発明は、前述したようなこの種の情報記録媒体の動作の現状に鑑みてなされたものであり、その第１の目的は、特定判定条件が不要で、情報録媒体の不正利用を簡単・適確に判定して、情報記録媒体の不正利用による著作権侵害を防止可能な情報記録媒体を提供することにある。
また、本発明の第２の目的は、特定判定条件が不要で、情報記録媒体の不正利用を簡単・適確に判定して、情報記録媒体の不正利用による著作権侵害を防止可能な情報記録媒体の製造方法を提供することにある。
さらに、本発明の第３の目的は、特定判定条件が不要で、情報記録媒体の不正利用を簡単・適確に判定して、情報記録媒体の不正利用による著作権侵害を防止可能なプログラム実行制御方法を提供することにある。
【０００８】
【課題を解決するための手段】
前記第１の目的を達成するために、請求項１記載の発明は、リードイン情報の開始時間情報Ｔ１と、該開始時間情報Ｔ１に所定の差値を付加して設定される前記リードイン情報の記録開始時間情報Ｔ２との前記差値に基づいて、プログラム領域に記録される動作プログラムの実行を制御するプログラム制御情報が、前記リードイン領域に、ドライブで読出自在に記録されていることを特徴とするものである。
【０００９】
請求項１記載の発明によると、リードイン情報の開始時間情報Ｔ１と、該開始時間情報Ｔ１に所定の差値を付加して設定されるリードイン情報の記録開始時間情報Ｔ２との差値に基づいて、プログラム領域に記録される動作プログラムの実行を制御するプログラム制御情報が、リードイン領域に、ドライブで読出自在に記録されており、情報記録媒体のドライブによる駆動時に、リードイン情報の開始時間情報Ｔ１と、記録開始時間情報Ｔ２との間に予め設定した差値が検出されないと、プログラム領域に記録される動作プログラムの実行が禁止されるので、特定のドライブを使用するなどの特定判定条件が不要となり、簡単・適確にＣＤ−ＲＣ、Ｄ−ＲＷなどのパーシャルＲＯＭ型の情報記録媒体の不正利用による著作権侵害が完全に防止される。
【００１０】
同様に前記第１の目的を達成するために、請求項２記載の発明は、請求項１記載の発明において、プログラム制御情報が、リードイン情報の開始時間情報Ｔ１を検出する開始時間情報検出ステップと、リードイン情報の記録開始時間データＴ２を検出する記録開始時間情報検出ステップと、前記開始時間情報Ｔ１と前記記録開始時間情報Ｔ２との差値を検出する差値検出ステップと、該差値検出ステップで差値が検出されると、正規な情報記録媒体と判定してプログラム領域の動作プログラムを実行し、前記差値が検出されないと、不正な情報記録媒体と判定して、前記動作プログラムの実行を禁止するプログラム制御ステップとからなることを特徴とするものである。
【００１１】
請求項２記載の発明によると、開始時間情報検出ステップで、リードイン情報の開始時間情報Ｔ１が検出され、記録開始時間情報検出ステップで、リードイン情報の記録開始時間データＴ２が検出され、差値検出ステップで、開始時間情報Ｔ１と記録開始時間情報Ｔ２との差値が検出され、プログラム制御ステップにおいて、差値検出ステップで差値が検出された場合には、正規な情報記録媒体と判定して、プログラム領域の動作プログラムが実行され、差値が検出されない場合には、不正な情報記録媒体と判定して、プログラム領域の動作プログラムの実行が禁止されることにより、請求項１記載の発明での作用が実行される。
【００１２】
同様に前記第１の目的を達成するために、請求項３記載の発明は、リードイン領域とプログラム領域とを備え、該プログラム領域に動作プログラムが記録されている情報記録媒体であり、リードイン領域のリードイン情報の開始時間情報Ｔ１を検出する開始時間情報検出ステップと、前記リードイン情報の記録開始時間情報Ｔ２を検出する記録開始時間情報検出ステップと、前記開始時間情報Ｔ１と前記記録開始時間情報Ｔ２との差値を検出する差値検出ステップと、該差値検出ステップで差値が検出されると、正規な情報記録媒体と判定して、前記プログラム領域の動作プログラムを実行し、前記差値が検出されないと、不正な情報記録媒体と判定して、前記プログラム領域の動作プログラムの実行を禁止するプログラム実行制御ステップとからなりドライブで読取り自在なプログラム制御情報が、前記リードイン領域にＲ０Ｍ部を構成して記録されていることを特徴とするものである。
【００１３】
請求項３記載の発明には、リードイン領域とプログラム領域とが設けられているが、プログラム領域に動作プログラムが記録され、リードイン領域にはドライブで読取り自在なプログラム制御情報がＲＯＭ部を構成して記録され、プログラム制御情報の読取りによって、開始時間情報検出ステップで、リードイン情報の開始時間情報Ｔ１が検出され、記録開始時間情報読出ステップで、リードイン情報の記録開始時間情報Ｔ２が検出され、差値検出ステップで、開始時間情報Ｔ１と記録開始時間情報Ｔ２との差値が検出され、プログラム実行制御ステップにおいては、差値検出ステップで差値が検出されると、正規な情報記録媒体と判定して、プログラム領域の動作プログラムが実行され、差値が検出されないと、不正な情報記録媒体と判定して、プログラム領域の動作プログラムの実行が禁止される。
このために、特定のドライブを使用するなどの特定判定条件が不要となり、現場で個々に使用されるドライブにより、情報記録媒体の不正利用を簡単・適確に検知し、動作プログラムの実行が禁止されるので、ＣＤ−ＲＣ、Ｄ−ＲＷなどのパーシャルＲＯＭ型の情報記録媒体を不正に利用する著作権侵害が完全に防止される。
【００１４】
同様に前記第１の目的を達成するために、請求項４記載の発明は、情報の追記が行なわれる追記部が、請求項３記載の情報記録媒体にさらに設けられていることを特徴とするものである。
【００１５】
請求項４記載の発明によると、請求項３記載の発明での作用に加えて、追記部に対して情報記録媒体への情報の正規な追記が行なわれる。
【００１６】
前記第２の目的を達成するために、請求項５記載の発明は、スタンパの作成を介して情報記録媒体を製造する情報記録媒体の製造方法であり、前記スタンパに対するＲＯＭ部の形成時に、リードイン領域のリードイン情報の開始時間情報Ｔ１に対して、所定の差値を付加して設定される前記リードイン情報の記録開始時間情報Ｔ２に基づいて、前記リードイン領域にリードイン情報の記録を行なうことにより作成されるスタンパに、後加工処理、成形処理、成膜処理及び検査処理を施すことにより情報記録媒体を製造することを特徴とするものである。
【００１７】
請求項５記載の発明によると、スタンパに対するＲＯＭ部の形成時に、リードイン領域のリードイン情報の開始時間情報Ｔ１に対して、所定の差値を付加して設定されるリードイン領域のリードイン情報の記録開始時間情報Ｔ２に基づいて、リードイン領域にリードイン情報の記録が行なわれてＲＯＭ部が形成され、このようなスタンパに対して、後加工処理、成形処理、成膜処理及び検査処理を施すことにより情報記録媒体が製造されるので、特定のドライブを使用するなどの特定判定条件なしに、情報記録媒体の不正利用を簡単・適確に禁止し、著作権侵害が完全に防止される高品質の情報記録媒体が量産性よく製造される。
【００１８】
前記第３の目的を達成するために、請求項６記載の発明は、情報記録媒体のプログラム領域の動作プログラムの実行を制御するプログラム実行制御方法であり、前記情報記録媒体のリードイン情報の開始時間情報Ｔ１及び該開始時間情報Ｔ１に所定の差値を付加して設定される前記リードイン情報の記録開始時間情報Ｔ２を取込む時間情報取込みステップと、該時間情報取込みステップで取り込まれた前記開始時間情報Ｔ１と前記記録開始時間情報Ｔ２に前記差値が検出されると、正規な情報記録媒体と判定して、前記動作プログラムを実行し、前記差値が検出されないと、不正な情報記録媒体と判定して、前記動作プログラムの実行を禁止するプログラム制御ステップとを有することを特徴とするものである。
【００１９】
請求項６記載の発明によると、時間情報取込みステップで、情報記録媒体のリードイン情報の開始時間情報Ｔ１及び該開始時間情報Ｔ１に所定の差値を付加して設定されるリードイン情報の記録開始時間情報Ｔ２が取込まれ、プログラム制御ステップでは、時間情報取込みステップで取り込まれた開始時間情報Ｔ１と記録開始時間情報Ｔ２に差値が検出されると、正規な情報記録媒体と判定して、情報記録媒体のプログラム領域の動作プログラムが実行され、差値が検出されないと、不正な情報記録媒体と判定して、動作プログラムの実行が禁止されるので、特定のドライブの使用などの特定判定条件が不要となり、簡単・適確にＣＤ−ＲＣＤ−ＲＷなどのパーシャルＲＯＭ型の情報記録媒体を不正に利用する著作権侵害が完全に防止される。
【００２０】
【発明の実施の形態】
以下に、本発明を情報記録媒体に係る一実施の形態に基づき、情報記録媒体が光ディスクの場合について、図１及び図２を参照して説明する。
図１は本実施の形態の製造に用いられる露光装置の要部の構成を示すブロック図、図２は本実施の形態の動作に用いられるのプログラム実行制御動作を示すフローチャートである。
【００２１】
本実施の形態に係る情報記録媒体の製造に際しては、先ず、表面に感光材であるフォトレジストが塗布されたガラス原板に、レーザビームの露光により情報の記録を行なう所謂カッティング処理が行なわれる。この場合、リードイン情報の開始時間情報Ｔ１を「９７ｍ３０ｓ００ｆ」とし、リードイン情報の記録開始時間情報Ｔ２を「９７ｍ３２ｓ００ｆ」とするリードイン領域を備えた第１セッションを有するマルチセッション構成のＣＤ−Ｒのスタンパを製造するためのカッティング処理を行なう場合を取り上げて説明する。
【００２２】
この際に使用される露光装置には、図１に示すように、ＡＴＩＰエンコーダ２が設けられ、このＡＴＩＰエンコーダ２には、スペシャルインフォメーション１からリードイン開始時間情報Ｔ１、リードアウト開始時間情報、メディアに対応する書込パワー情報などのリードイン情報Ｆｉ１が入力され、ＡＴＩＰエンコーダ２からは、入力されるリードイン情報Ｆｉ１に対応するエンコード信号Ｆｉｅ１が出力され、エンコード信号Ｆｉｅは、ＡＴＩＰエンコーダ２に接続されるウォブルコントローラ３に入力され、ウォブルコントローラ３からは、入力するエンコード信号Ｆｉｅ１に対応するウォブル制御信号Ｆｗｃが出力されるように構成されている。
同様に、エンコーダ６が設けられ、このエンコーダ６には、ＴＯＣデータ５からリードイン記録開始時間情報Ｔ２を含むリードイン情報Ｆｉ２が入力され、エンコーダ６からは、入力されるリードイン情報Ｆｉ２に対応するエンコード信号Ｆｉｅ２が出力され、このエンコーダ６にＲＯＭ部の露光を制御するＲＯＭ部露光コントローラ７が接続され、ＲＯＭ部露光コントローラ７からは、入力されるエンコード信号Ｆｉｅ２に対応する制御信号Ｆｒｃが出力されるように構成されている。
そして、ウォブルコントローラ３、ＲＯＭ部露光コントローラ７、及び追記部の露光を制御する制御信号Ｆａｃを出力する追記部露光コントローラ１０の出力端子が、フォトレジストが塗布されたガラス原板へのレーザビームの照射を制御する露光ビーム光学系８に、それぞれ接続されている。
【００２３】
このような構成の露光装置においては、露光ビーム光学系８によって、追記部露光コントローラ１０からの制御信号Ｆａｃと、ウォブルコントローラ３からのウォブル制御信号Ｆｗｃとの制御下で、フォトレジストが塗布されたガラス原板の内周の追記部から露光を開始し、リードイン記録開始時間情報Ｔ２に対応する「９７ｍ３２ｓ００ｆ」位置に達すると、露光ビーム光学系８は、ＲＯＭ部露光コントローラ７からの制御信号Ｆｒｃと、ウォブルコントローラ３からのウォブル制御信号Ｆｗｃとの制御下に制御状態が切り換えられ、露光ビーム光学系８によって、ＲＯＭ部に対する露光が行なわれる。
そして、第１セッションのリードアウト領域の終了位置に達すると、露光ビーム光学系８は、追記部露光コントローラ７からの制御信号Ｆａｃと、ウォブルコントローラ３からのウォブル制御信号Ｆｗｃとの制御下に制御状態が切り換えられ、露光ビーム光学系８によって、フォトレジストが塗布されたガラス原板の最外周まで追記部に対する露光が行なわれる。
【００２４】
このようにフォトレジストに露光が行なわれたガラス原板が現像され、所定の処理が行なわれた後に、電気鋳造によって金属表面への情報転写が行なわれ、得られる原盤として、光ディスクの複製に必要な金属製のスタンパが作成される。次いで、ディスク化工程において、準備形成された情報が、樹脂成形によって、スタンパから樹脂基板表面に転写され、その上に反射膜または記録膜の成膜が行なわれ、必要なディスク形態への加工が行なわれ検査工程を経て、目的の光ディスクが製造される。
具体的には、ＣＤ−Ｒに対しては、ポリカーボネート基板上に有機色素記憶層が形成され、さらにＡｌ反射膜が形成されアクリル樹脂保護層が被覆された構成とされ、ＣＤ−ＲＯＭに対しては、ポリカーボネート基板上にＡｌ反射層が形成され、表面にアクリル樹脂保護層が被覆された構成とされる。
また、ＣＤ−ＲＷに対しては、ポリカーボネート基板上に無機誘電体保護層が形成され、その上に無機相変化記録層、無機誘電体保護層、Ａｌ反射層、アクリル樹脂保護層が順次形成された構成とされる。
【００２５】
このようにして、製造される本実施の形態に係る光ディスクには、リードイン領域に、リードイン情報の開始時間情報Ｔ１と、開始時間情報Ｔ１に所定の差値を付加して設定されるリードイン情報の記録開始時間情報Ｔ２、及び開始時間情報Ｔ１と記録開始時間情報Ｔ２との差値に基づいて、プログセム領域に記録された動作プログセムの実行を制御するプログラム実行制御情報が、ドライバで読取り自在に記録されている。
【００２６】
このような構成の本実施の形態の再生制御動作を、図２のフローチャートに基づいて説明する。
再生制御動作が開始されると、図２のフローチャートのステップＳ１でドライブが起動され、ステップＳ２に進んで、ディスクのトラック情報の読取指令が発せられ、ステップＳ３に進んで、トラックのリードイン領域から、リードイン情報の開始時間情報Ｔ１が取得され、ステップＳ４に進んで、同様にリードイン領域からリードイン情報のの記録開始時間情報Ｔ２が取得される。
【００２７】
次いで、ステップＳ５において、オリジナル判定フラグＦの初期化が行なわれＦ＝０が設定され、ステップＳ６に進んで、開始時間情報Ｔ１と記録開始時間情報Ｔ２間に設定される中間アドレス  Ｔ（ｉ）（ｉ＝０、１、２・・・Ｎ）の選  択設定が行なわれ、ステップＳ７に進んで、所定の差値条件下でＴ２＞Ｔ１であるか否かの判定が行なわれ、所定の差値条件下でＴ２＞Ｔ１でないと判定されると、ステップＳ１９に進んで、所定の差値条件下でＴ２＜Ｔ１であるか否かの判定が行なわれ、ステップＳ１９で、所定の差値条件下でＴ２＜Ｔ１でないと判定された場合には、記録開始時間情報Ｔ２が開始時間情報Ｔ１に所定の差値が付加されて設定されていないと判断されるので、プログラム領域の動作プログラムの読取りが禁止され、動作プログラムの実行が中止され直ちに処理を終了する。
【００２８】
ステップＳ７に戻って、所定の差値条件下でＴ２＞Ｔ１と判定されると、ステップＳ８に進んで、Ｔ１＜Ｔ（ｉ）＜Ｔ２と中間アドレス  Ｔ（ｉ）（ｉ＝０、１、２・・・Ｎ）の設定が行なわれ、ステップＳ９に進んで、中間アドレスＴ（ｉ  ）に対応する情報の  読取り指令が発せられる。
次いで、ステップＳ１０に進んでｉ＝０が選択設定され、ステップＳ１１に進んで、中間アドレスＴ（０）に対応する記録情報の読取りが行なわれ、情報が読  み取られないと、ステップＳ１２に進んで、ｉがｉ＋１に歩進され、ステップＳ１３に進んで、中間アドレスＴ（１）に対応する記録情報の読取りが行なわれ、以下同様にして、ステップＳ１４でｉ＝Ｎと判定されるまで、記録情報の読取りが実行され、記録情報の読取りが行なわれないことが確認され、ステップＳ１５に進んで、オリジナル判定フラグＦが初期化されていることが確認される。
【００２９】
そして、ステップＳ１５で、オリジナル判定フラグＦの初期化が確認されると、ステップＳ１６に進んで、トラックのプログラム領域の動作プログラムの読取りが開始され、ステップＳ１９で読取り終了と判定されるまで、プログラム領域の動作プログラムの読取りが実行され、ディスクのプログラム動作が実行され、ステップＳ１５でオリジナル判定フラグＦの初期化が行なわれていないと判定されると、直ちに処理を終了し、プログラム領域の動作プログラムの読取りは実行されない。
【００３０】
この場合、開始時間情報Ｔ１と記録開始時間情報Ｔ２間には、情報の記録はされていないので、ステップＳ１１及びステップＳ１３での判定は本来はＮＯとなるが、ノイズ信号が読み取られ、ステップＳ１１とステップＳ１３の少なくとも一方で記録情報が読み取られたとの判定が行なわれた場合には、ステップＳ１８に進んで、読取り情報が許容偏差内にあるか否かが判定され、許容偏差内であると判定されると、ステップＳ１５に進んで、以下はすでに説明した処理が実行される。
また、ステップＳ１８で、読取り情報が許容偏差を越えていると判定されると、直ちに処理を終了しプログラム領域の読取りは実行されない。
【００３１】
一方、ステップＳ１９で、所定の差値条件下でＴ２＜Ｔ１と判定されるのは、記録開始時間情報Ｔ２より遅れて開始時間情報Ｔ１が設定されている場合であり、記録開始時間情報Ｔ２と開始時間情報Ｔ１間に記録情報が存在する。
この場合には、ステップＳ２０に進んで、Ｔ２＜Ｔ（ｉ）＜Ｔ１と中間アドレ  スＴ（ｉ）（ｉ＝０、１、２・・・Ｎ）の設定が行なわれ、ステップＳ２１に進  んで、中間アドレスＴ（ｉ）に対応する情報の読取り指令が発せられる。
次いで、ステップＳ２２に進んでｉ＝０が選択設定され、ステップＳ２３に進んで、中間アドレスＴ（０）に対応する記録情報の読取りが行なわれ、情報が読  み取られると、ステップＳ２４に進んで、ｉがｉ＋１に歩進され、ステップＳ２５に進んで、中間アドレスＴ（１）に対応する記録情報の読取りが行なわれ、以下同様にして、ステップＳ２６でｉ＝Ｎと判定されるまで、記録情報の読取りが実行され、記録情報の読取りが行なわれることが確認され、ステップＳ１５に進んで、オリジナル判定フラグＦが初期化されていることが確認される。
【００３２】
そして、ステップＳ１５で、オリジナル判定フラグＦの初期化が確認されると、ステップＳ１６に進んで、トラックのプログラム領域の記録情報の読取りが開始され、ステップＳ１９で読取り終了と判定されるまで、プログラム領域の記録情報の読取りが実行され、ディスクの再生動作が行なわれ、ステップＳ１５でオリジナル判定フラグＦの初期化が行なわれていないと判定されると、直ちに処理が終了し、プログラム領域の読取りは実行されない。
【００３３】
この場合、記録開始時間情報Ｔ２と開始時間情報Ｔ１間には、情報の記録が行なわれているので、ステップＳ２３及びステップＳ２５での判定は本来はＹＥＳとなるが、記録情報の消失などが原因で、ステップＳ２３とステップＳ２５の少なくとも一方で記録情報が読み取られないと判定された場合には、ステップＳ２７に進んで、情報の読取不能が許容偏差内にあるか否かが判定され、許容偏差内であると判定されると、ステップＳ１５に進んで、以下はすでに説明した処理が実行される。
また、ステップＳ２７で、読取り情報が許容偏差を越えていると判定されると、直ちに処理が終了しプログラム領域の読取りは実行されない。
【００３４】
このように、本実施の形態によると、トラックのリードイン領域に、リードイン情報の開始時間情報Ｔ１、開始時間情報Ｔ１に所定の差値を付加して設定されるリードイン情報の記録開始時間情報Ｔ２、及び開始時間情報Ｔ１と記録時間監視時間情報Ｔ２との差値に基づき、プログラム領域に記録された動作プログラムの実行を制御するプログラム制御情報が記録されており、検出取得される開始時間情報Ｔ１と記録開始時間情報Ｔ２とに所定の差値が確認されると、正規の情報記録媒体と判定して、プログラム領域の動作プログラムが実行され、所定の差値が確認されないと不正な情報記録媒体と判定して、プログラム領域の動作プログラムの実行が禁止されるので、ＣＤ−ＲＣ、Ｄ−ＲＷなどのパーシャルＲＯＭ型の情報記録媒体を利用する著作権侵害を完全に防止することが可能になる。
【００３５】
なお、以上に説明した実施の形態では、リードイン情報の開始時間情報Ｔ１と、開始時間情報Ｔ１に所定の差値を付加して設定されるリードイン情報の記録開始時間情報Ｔ２とが、トラックのリードイン領域に記録されている場合を説明したが、本発明は、この実施の形態に限定されるものではなく、開始時間情報Ｔ１と記録開始情報Ｔ２が、キーボードから入力されたり、他の記録媒体から読み取られるようにすることも可能である。
【００３６】
【発明の効果】
請求項１記載の発明によると、リードイン情報の開始時間情報Ｔ１と、該開始時間情報Ｔ１に所定の差値を付加して設定されるリードイン情報の記録開始時間情報Ｔ２との差値に基づいて、プログラム領域に記録される動作プログラムの実行を制御するプログラム制御情報が、リードイン領域に、ドライブで読出自在に記録されており、情報記録媒体のドライブによる駆動時に、リードイン情報の開始時間情報Ｔ１と、記録開始時間情報Ｔ２との間に予め設定した差値が検出されないと、プログラム領域に記録される動作プログラムの実行が禁止されるので、特定のドライブを使用するなどの特定判定条件が不要となり、簡単・適確にＣＤ−ＲＣ、Ｄ−ＲＷなどのパーシャルＲＯＭ型の情報記録媒体の不正利用による著作権侵害を完全に防止することが可能になる。
【００３７】
請求項２記載の発明によると、開始時間情報検出ステップで、リードイン情報の開始時間情報Ｔ１が検出され、記録開始時間情報検出ステップで、リードイン情報の記録開始時間データＴ２が検出され、差値検出ステップで、開始時間情報Ｔ１と記録開始時間情報Ｔ２との差値が検出され、プログラム制御ステップにおいて、差値検出ステップで差値が検出された場合には、正規な情報記録媒体と判定して、プログラム領域の動作プログラムが実行され、差値が検出されない場合には、不正な情報記録媒体と判定して、プログラム領域の動作プログラムの実行が禁止されることにより、請求項１記載の発明で得られる効果を実現することが可能になる。
【００３８】
請求項３記載の発明には、リードイン領域とプログラム領域とが設けられているが、プログラム領域に動作プログラムが記録され、リードイン領域にはドライブで読取り自在なプログラム制御情報がＲＯＭ部を構成して記録され、プログラム制御情報の読取りによって、開始時間情報検出ステップで、リードイン情報の開始時間情報Ｔ１が検出され、記録開始時間情報読出ステップで、リードイン情報の記録開始時間情報Ｔ２が検出され、差値検出ステップで、開始時間情報Ｔ１と記録開始時間情報Ｔ２との差値が検出され、プログラム実行制御ステップにおいては、差値検出ステップで差値が検出されると、正規な情報記録媒体と判定して、プログラム領域の動作プログラムが実行され、差値が検出されないと、不正な情報記録媒体と判定して、プログラム領域の動作プログラムの実行が禁止される。
このために、特定のドライブを使用するなどの特定判定条件が不要となり、現場で個々に使用されるドライブにより、情報記録媒体の不正利用を簡単・適確に検知し、動作プログラムの実行が禁止されるので、ＣＤ−ＲＣ、Ｄ−ＲＷなどのパーシャルＲＯＭ型の情報記録媒体の不正利用による著作権侵害を完全に防止することが可能になる。
【００３９】
請求項４記載の発明によると、情報の追記が行なわれる追記部が、請求項３記載の情報記録媒体にさらに設けられているので、請求項３記載の発明で得られる効果に加えて、追記部により情報記録媒体への情報の正規な追記が可能になる。
【００４０】
請求項５記載の発明によると、スタンパに対するＲＯＭ部の形成時に、リードイン領域のリードイン情報の開始時間情報Ｔ１に対して、所定の差値を付加して設定されるリードイン領域のリードイン情報の記録開始時間情報Ｔ２に基づいて、リードイン領域にリードイン情報の記録が行なわれてＲＯＭ部が形成され、このようなスタンパに対して、後加工処理、成形処理、成膜処理及び検査処理を施すことにより情報記録媒体が製造されることにより、特定のドライブを使用するなどの特定判定条件なしに、情報記録媒体の不正利用を簡単・適確に禁止し、著作権侵害を完全に防止可能で高品質の情報記録媒体を量産性よく製造することが可能になる。
【００４１】
請求項６記載の発明に係るプログラム実行制御方法によると、  時間情報取  込みステップで、情報記録媒体のリードイン情報の開始時間情報Ｔ１及び該開始時間情報Ｔ１に所定の差値を付加して設定されるリードイン情報の記録開始時間情報Ｔ２が取込まれ、プログラム制御ステップでは、時間情報取込みステップで取り込まれた開始時間情報Ｔ１と記録開始時間情報Ｔ２に差値が検出されると、正規な情報記録媒体と判定して、情報記録媒体のプログラム領域の動作プログラムが実行され、差値が検出されないと、不正な情報記録媒体と判定して、動作プログラムの実行が禁止されるので、特定ドライブを使用するなどの特定判定条件が不要となり、簡単・適確にＣＤ−ＲＣ、Ｄ−ＲＷなどのパーシャルＲＯＭ型の情報記録媒体の不正利用による著作権侵害を完全に防止することが可能になる。
【図面の簡単な説明】
【図１】本発明の情報記録媒体に係る一実施の形態の製造に用いられる露光装置の要部の構成を示すブロック図である。
【図２】同実施の形態の動作に用いられるプログラム実行制御動作を示すフローチャートである。
【符号の説明】
１  スペシャルインフォメーション
２  ＡＴＩＰエンコーダ
３  ウォブルコントローラ
５  ＴＯＣデータ
６  エンコーダ
７  ＲＯＭ部露光コントローラ
８  露光ビーム光学系
１０  追記部露光コントローラ
【図１】
2004213791.tif 000003
【図２】
2004213791.tif 000004